(57)【特許請求の範囲】
【請求項１】
上下方向及び幅方向を有し、前記上下方向の寸法を２等分する横断中心線と、マスク本体と、前記マスク本体の両側縁から環状に延びる一対の耳掛け部とを含む使い捨てマスクにおいて、
前記マスク本体は、不織布製のシートから形成されており、前記一対の耳掛け部の基端部が位置する上下端部と、前記上下端部間に位置する口覆い部と、前記両側縁に沿って前記上下方向へ断続的に延びる、複数の接合部が配置されたシール域とを有し、
前記口覆い部は、前記シートが折り重ねられた重畳部分からなり、前記上下方向に並ぶ複数の襞部と、前記横断中心線の下方において前記襞部間に位置する非重畳部分とを有し、
前記非重畳部分は、非シール域を有し、
前記非シール域の前記上下方向の寸法は、前記複数の接合部間の前記上下方向の離間寸法よりも大きく、
前記非重畳部分の下方において前記非重畳部分に隣接する襞部にのみ、前記複数の接合部が前記幅方向へ並んでなる幅広接合部が位置することを特徴とする前記マスク。
【請求項２】
前記複数の接合部は、前記シートの熱溶着部分であって、前記幅方向の寸法が２ｍｍ以下、前記幅方向における前記マスク本体の両側縁からの離間寸法が７ｍｍ以下である請求項１に記載のマスク。
【請求項３】
前記非シール域は、前記シートを断面Ω状に折り曲げて形成された、前記上下方向において離間対向する一対の前記襞部間にのみ位置する請求項１又は２に記載のマスク。
【請求項４】
前記非シール域は、前記上下方向において前記横断中心線から２．０〜４．０ｍｍ離間している請求項１〜３のいずれかに記載のマスク。
【請求項５】
前記マスク本体の前記上下方向における寸法は、約６０〜１００ｍｍである請求項１〜４のいずれかに記載のマスク。
【請求項６】
前記マスク本体は、上下端縁と、前記上下端縁と前記両側縁とが交差する隅部とをさらに有し、前記隅部は曲状である請求項１〜５のいずれかに記載のマスク。
【請求項７】
前記非シール域は、前記非重畳部分と、最も下方に位置する前記襞部と前記耳掛け部の前記基端部との間に位置する離間部分とにのみ配置される請求項１〜６のいずれかに記載のマスク。
【発明の詳細な説明】
【技術分野】
【０００１】
本発明は、使い捨てマスクに関する。
【背景技術】
【０００２】
特許文献１には、繊維不織布製のシートから形成されたマスク本体と、マスク本体の両側縁から環状に延びる一対の耳掛け部と、マスク本体においてシートを折り重ねた重畳部分からなる複数の襞部（プリーツ）を有する使い捨てマスクが開示されている。
【先行技術文献】
【特許文献】
【０００３】
【特許文献１】特開２００８−５５０３５号公報（Ｐ２００８−５５０３５Ａ）
【発明の概要】
【発明が解決しようとする課題】
【０００４】
特許文献１に開示された使い捨てマスクでは、マスク本体の両側縁部の上下方向における中央部分において、切り込みが形成されている。通常、マスク本体には、耳掛け部が耳部に掛け回されたときに、耳掛け部の基端部から上下方向へ向かうマスク本体を変形させようとする力が作用するが、中央部分にかかる力が作用しても、切り込みによってそれを分散、吸収して変形を抑制することができる。
【０００５】
しかし、切り込みがマスク本体の中央部に位置することから、耳掛け部の固定端部から切り込みまでの離間距離が比較的に大きくなり、耳掛け部の基端部から切り込みに力を伝えてそれを分散、吸収することができず、基端部と切り込みとの間において変形を生じてしまうおそれがある。また、マスク本体の両側縁は上下方向へ直状に延びており、たとえ切り込みにおいてマスク本体を変形させようとする力を分散、吸収できたとしても、正面視において、顔面から幅方向へ張り出したような態様をなし、着用者の顔面が小さく見えるようなすっきりとした印象を与えることができない。
【０００６】
本発明は、従来の使い捨てマスクの改良であって、マスク本体の変形を抑制し、顔面形状に沿った湾曲状を呈することができ、すっきりとした印象を与えることのできる使い捨てマスクの提供を課題にしている。
【課題を解決するための手段】
【０００７】
前記課題を解決するために、本発明は、上下方向及び幅方向を有し、前記上下方向の寸法を２等分する横断中心線と、マスク本体と、前記マスク本体の両側縁から環状に延びる一対の耳掛け部とを含む使い捨てマスクに関する。
【０００８】
本発明に係る使い捨てマスクは、前記マスク本体は、不織布製のシートから形成されており、前記一対の耳掛け部の基端部が位置する上下端部と、前記上下端部間に位置する口覆い部と、前記両側縁に沿って前記上下方向へ断続的に延びる、複数の接合部が配置されたシール域とを有し、前記口覆い部は、前記シートが折り重ねられた重畳部分からなり、前記上下方向に並ぶ複数の襞部と、前記横断中心線の下方において前記襞部間に位置する非重畳部分とを有し、前記非重畳部分は、非シール域を有し、前記非シール域の前記上下方向の寸法は、前記複数の接合部間の前記上下方向の離間寸法よりも大きく、前記非重畳部分の下方において前記非重畳部分に隣接する襞部にのみ、前記複数の接合部が前記幅方向へ並んでなる幅広接合部が位置する。
【００１０】
前記複数の接合部は、前記シートの熱溶着部分であって、前記幅方向の寸法が２ｍｍ以下、前記幅方向における前記マスク本体の両側縁からの離間寸法が７ｍｍ以下であるから、複数の接合部がマスク本体の側縁から大きく離間していない。かかるマスクでは、側縁から幅方向の外側に位置する縁部が、着用者の顔面から浮き上がるように離間するのを抑制することができる。
【００１１】
前記非シール域は、前記シートを断面Ω状に折り曲げて形成された、前記上下方向において離間対向する一対の前記襞部間にのみ位置する。かかるマスクでは、非シール域が襞部間に位置する単層構造を有する非重畳部分に位置するので、非重畳部分においてマスク本体の一部を屈曲させることができる。
【００１２】
前記非シール域は、前記上下方向において前記横断中心線から２．０〜４．０ｍｍ離間している。かかるマスクでは、非シール域がマスク本体の下側部分に位置するので、耳掛け部の基端部を起点とするマスク本体を変形させようとする上向きの力を分散、吸収することができる。
【００１３】
前記マスク本体の前記上下方向における寸法は、約６０〜１００ｍｍである。
【００１４】
前記マスク本体は、上下端縁と、前記上下端縁と前記両側縁とが交差する隅部とをさらに有し、前記隅部は曲状である。かかるマスクでは、隅部が曲状をなして全体的に丸みのある外観を呈し、意匠性に優れる。
【００１５】
前記非シール域は、前記非重畳部分と、最も下方に位置する前記襞部と前記耳掛け部の前記基端部との間に位置する離間部分とにのみ配置される。かかるマスクでは、第２の非シール域も第１のシール域とともに、マスク本体の一部を屈曲させるように作用することができる。
【発明の効果】
【００１６】
本発明の１つ以上の実施の形態に係る使い捨てマスクによれば、着用状態において、非重畳部分においてマスク本体を変形させようとする力を分散、吸収することができるので、マスク本体の両側縁部が顔面から離間するのを抑制することができる。また、それによって、マスク本体の下側部分が顔面に向かって移動し、正面視において、従来のマスクに比べてすっきりとした印象を与えることができる。
【図面の簡単な説明】
【００１７】
図面は、本発明の特定の実施の形態を示し、発明の不可欠な構成ばかりでなく、選択的及び好ましい実施の形態を含む。
【図１】本発明の第１実施形態に係る使い捨てマスクの正面から視た平面図。
【図２】図１のＩＩ−ＩＩ線に沿って切断し、マスクの一方側部側を外面から視た斜視図。
【図３】図２に示す、ＩＩＩ線で囲んだ領域の拡大図。
【図４】着用状態におけるマスクの側面図。
【図５】図４の一部拡大図。
【図６】図４に示す、ＶＩ−ＶＩ線に沿う断面図。
【図７】着用状態におけるマスクの正面図。
【図８】他の実施例における図６と同様の断面図。
【図９】第２実施形態に係るマスクの図１と同様の平面図。
【発明を実施するための形態】
【００１８】
下記の実施の形態は、図１〜図９に示す使い捨てマスクに関し、発明の不可欠な構成ばかりではなく、選択的及び好ましい構成を含む。
【００１９】
＜第１実施形態＞
図１〜図４を参照すると、本発明の使い捨てマスクの一例として示す、マスク１０は、上下方向Ｙ及び幅方向Ｘを有し、肌対向面及びそれに対向する非肌対向面と、上下方向Ｙの寸法を２等分する横断中心線Ｑと、マスク本体２０と、マスク本体２０の両側縁２０ｃ，２０ｄから延びる環状の一対の耳掛け部３０とを含む。
【００２０】
マスク本体２０は、繊維不織布製の基材シート２１から形成されており、幅方向Ｘへ直状に延びる上端縁２０ａと、下方へ僅かに凸曲して幅方向Ｘへ延びる下端縁２０ｂと、上下端縁２０ａ，２０ｂ間において上下方向Ｙへ延びる両側縁２０ｃ，２０ｄとを有する。また、マスク本体２０は、一対の耳掛け部３０の基端部（固定両端部）３１が位置する上下端部２２，２３と、上下方向Ｙにおいて上下端部２２，２３の間に位置する、着用者の口と対向する口覆い部（中間部）２４とをさらに有する。さらに、マスク本体２０は、上下端縁２０ａ，２０ｂと両側縁２０ｃ，２０ｄとが交差する曲状の隅部２７を有する。隅部２７が、先鋭状ではなく曲状を有することによって、着用者の顔面が隅部２７に触れても刺激を与えることはない。
【００２１】
マスク本体２０（マスク１０）の上下方向Ｙの寸法（両側縁２０ｃ，２０ｄの長さ寸法）Ｗ１は、６０〜１００ｍｍ、幅方向Ｘの寸法（上下端縁２０ａ，２０ｂの長さ寸法）Ｌ１は、１４０〜１８０ｍｍである。マスク本体２０の上下方向Ｙの寸法Ｌ１が、１４０ｍｍ以下の場合には、大人の着用者の標準的な大きさの顎部を十分に被覆することができず、幅方向Ｘの寸法Ｌ１が１８０ｍｍ以上の場合には、後記の口覆い部２４の非重畳部分２９Ｂにおいてマスク本体２０を屈曲させることができないおそれがある。
【００２２】
マスク本体２０を形成する基材シート２１は、肌対向面側に位置する内層シート２５と、非肌対向面側に位置する外層シート２６とから構成されている。内層シート２５と外層シート２６とは、マスク本体２０の外周縁に沿って断続的に延びる外周シール域４０によって互いに接合されている。外周シール域４０は、その延在方向へ所定寸法離間して配置された複数の接合部４１から形成される。外周シール域４０は、マスク本体２０の上端縁２０ａに沿って幅方向Ｘへ断続的に延びる２条のラインからなる上側シール域４２と、下端縁２０ｂに沿って幅方向Ｘへ断続的に延びる下側シール域４３と、両側縁２０ｃ，２０ｄに沿って上下方向Ｙへ断続的に延びるサイドシール域（シール域）４４とを有する。
【００２３】
内層シート２５と外層シート２６とは、例えば、熱融着性繊維を含む質量１０〜４０ｇ／ｍ２の通気性を有する繊維不織布シートであって、メルトブローン繊維不織布、スパンボンド繊維不織布、ＳＭＳ繊維不織布及びエアスルー繊維不織布等の各種公知の繊維不織布から形成することができる。また、内層シート２５には、肌触りの良好な繊維不織布、外層シート２６には、比較的にシート強度の強い繊維不織布を用いることが好ましく、図示していないが、それらの間に微粒子のフィルター機能を有するシートを介在させてもよい。耳掛け部３０は、好ましくは弾性的に伸縮可能なものであって、不織布や織布、プラスチックフィルム、ゴムひも等の公知の材料によって形成される。
【００２４】
外周シール域４０は、断続的に配置された複数の接合部４１において内層シート２５と外層シート２６とを互いに溶着する溶着シールラインであって、両シート２５，２６は外周シール域４０においてのみ接合され、他の部分において互いに接合されていない。したがって、両シート２５，２６の内面全体が互いに接合されている場合に比して、マスク１０全体は柔軟性及び通気性に優れる。
【００２５】
図３を参照すると、外周シール域４０の接合部４１は、一対の短辺と一対の長辺とから画成された略長方形状であって、上側シール域４２と下側シール域４３とにおいては、長辺が幅方向Ｘへ延びるように接合部４１が配置されており、上下方向Ｙへ延びる２つのシールラインを形成している。また、上側シール域４２のシールライン間の上下方向Ｙの離間寸法は、下側シール域４３のシールライン間の上下方向Ｙの離間寸法よりも大きくなっている。サイドシール域４４は、複数の接合部４１から構成された外側ライン４４Ａと、口覆い部２４の下方側に位置する２つの接合部４１から構成された内側ライン４４Ｂとから形成されている。サイドシール域４４は、内側ラインの接合部４１と外側ラインの接合部４１とが幅方向Ｘにおいて並ぶ、サイドシール域４１のうちで最も接合強度の強い幅広接合部４５を有する。また、外側ライン４４Ａの接合部４１間の離間寸法（ピッチ）は、口覆い部２４の下方側において他の部分に比して大きくなっており、サイドシール域４４は、接合部４１が配置されていない第１非シール域（折曲誘導部）５１と、幅広接合部４５の下方に位置する第２非シール域５２とをさらに有する。
【００２６】
図２を参照すると、上側シール域４２のシールライン間には、幅方向Ｘへ延びる弾性帯片６０が配置されている。弾性帯片６０は、内層シート２５と外層シート２６との間に介在されており、具体的には、上側シール域４２を形成する２つのシールライン間に形成された筒状の空間内に挟持固定されている。弾性帯片６０の両端の幅方向の外側には、弾性帯片６０の幅方向Ｘへの移動を規制するための接合部４１Ｃが配置されている。
【００２７】
内層シート２５の上下端縁部は、外層シート２６の下端縁部よりも上下方向Ｙの外側へ延出しており、該延出部２５ａ，２５ｂが上下方向Ｙの内側へ曲状に折り曲げられて、上側シール域４２と下側シール域４３とによって外層シート２６の非対向面側に固定されている。また、マスク本体２０の下端縁２０ｂは、該延出部２５ｂが曲状に折り曲げられていることによって、下方へ向かって緩やかに湾曲した形状を有する。かかる曲状の下側縁２０ｂとマスク本体２０の曲状の隅部２７とが相俟って、マスク１０は全体的に丸みを帯びた外観を呈する。
【００２８】
耳掛け部３０は、マスク本体２０の上端部２２と下端部２３に位置する一対の固定端部（基端部）３１と、固定端部３１間において環状に延びる自由部３２とを有する。基端部３１は、それぞれ、マスク本体２０の上下端部２２，２３に溶着されており、上下端部２２，２３には、基端部３１を固定する矩形のシール域３４が形成されている。シール域３４は、基端部３１の外形よりもひと回り大きな矩形状を有する。シール域３４が、基端部３１の外形よりも大きいことによって、基端部３１はマスク本体２０に対して所要の剥離強度を有し、着用中に基端部３１にそれを剥離しようとする力が作用しても、容易に剥離することはない。
【００２９】
図１〜図３を参照すると、下側シール域４３は、マスク本体２０の下端縁２０ｂに沿って曲状に延びており、その両端部は下端部２３に位置するシール域３４まで延びている。また、サイドシーム域４４は、上端部２２に位置するシール域３４と下端部２３に位置するシール域３４と重なって位置している。したがって、サイドシール域４４のシール部４１と下側シール域４３のシール部４１とが、マスク１０の平面視において、シール域３４と互いに重なっている。そのため、シール域３４では、シートの溶着部分が集中して接合強度が高くなるだけではなく、剛性が比較的に高くなって肌に触れると強く刺激を与えるおそれがあるが、シール域３４の位置する隅部２７がアール形状であるので、肌に触れても強く刺激を与えるおそれはない。
【００３０】
マスク本体２０の口覆い部２４は、基材シート２１をプリーツ状に折り曲げて形成された幅方向Ｘへ延びる複数の襞部２８を有する。襞部２８は、上側から順に、マスク本体２０の非肌対向面側において上向きに凸となる第１〜第３襞部２８Ａ〜２８Ｃと、第３襞部２８Ｃの下方において下向きに凸となる第４襞部２８Ｄとを有する。基材シート２１は、第３襞部２８Ｃと第４襞部２８Ｄとにおいて、断面Ω状に折り曲げられている。口覆い部２４は、かかるプリーツ加工が施されていることによって、基材シート２１が折り重ねられてそれが複数に積層された重畳部分２９Ａと、第３襞部２８Ａと第４襞部２８Ｄとの間に位置する、基材シート２１が折り重ねられていない、単層構造を有する非重畳部分２９Ｂとを有する。サイドシール域４４の接合部が配置されてない第１非シール域５１は、口覆い部２４の非重畳部分２９Ｂに位置している。また、第２非シール域５２は、襞部２８Ｄから基端部３１の位置する下端部２３まで延びている。
【００３１】
図４〜図６を参照すると、マスク１０の着用状態において、非重畳部分２９Ｂでは、その一部が前後方向において折り重なるように屈曲し、非重畳部分２９Ｂよりも下方に延びる下側部分７０が着用者の顔面形状に沿うように後方へ移動している。具体的には、非重畳部分２９Ｂは、マスク１０の肌対向面側へ顔面に面状に接するように折れ曲がっており、マスク本体２０の両側縁部の上下方向Ｙの寸法Ｗ１が小さくなっている。
【００３２】
図５を参照すると、マスク１０を着用するときには、耳掛け部３０を着用者の耳部に掛け回した状態において、耳掛け部３０が斜め後方へ引っ張られることによって、マスク本体２０の両側縁部には、上下方向Ｙに向かうそれを変形させようとする力が作用する。具体的には、マスク本体２０の上端部２２では耳掛け部３０の基端部３１から下向きの力Ｆ１が作用し、下端部２３では基端部３１から上向きの力Ｆ２が作用する。このように、上下方向Ｙにおいて互いに逆方向に向かう力Ｆ１，Ｆ２がマスク本体２０の両側縁部に作用することによって、マスク本体２０の両側縁部が顔面から浮き上がり、隙間が生じるおそれがある。なお、着用状態においては、マスク本体２０の両側縁部は湾曲状をなしているので、下向きの力Ｆ１は、両側縁部の形状に沿って斜め下方へ（上向きの力Ｆ２は、斜め上方へ）に作用している。
【００３３】
また、通常のマスクにおいては、両側縁が直状に延びた矩形状を有し、マスク本体の上側部分と下側部分とにおいて幅寸法が同じである。一方、着用者の顔面は、下頬部において上頬部に比べて幅寸法が小さくなっていることから、下頬部を被覆するマスク本体の下側部分は、顔面から横に張り出したような態様となって、顔面とマスク本体の両側縁部との間に隙間が生じやすかった。さらに、マスク本体の下側部分がこのように横に張り出すことによって、正面視において、着用者の下頬部全体が完全に被覆された状態となり、着用者の顔面が実際のサイズよりも大きいような印象を与えるおそれがあった。
【００３４】
本実施形態に係るマスク１０では、非重畳部分２９Ｂにおいて、下端部２３の基端部３１から上向きの力Ｆ２を吸収、分散することによって、かかる上向きの力Ｆ２と上端部２２の基端部３１から下方へ向かう力Ｆ１とが互いに相反して作用してマスク本体２０の両側縁部が顔面から浮き上がるように離間するのを抑制することができる。非重畳部分２９Ｂは、上向きの力Ｆ２を分散、吸収することによって、上方へ凸となるようにマスク本体２０の肌対向面側へ向かって折れ曲がり、その一部が前後方向において重なり合ってプリーツを形成している。このように、マスク１０の着用状態において、非重畳部分２９Ｂに伸展可能なプリーツが形成されることによって、マスク本体２０の両側縁部が上下方向Ｙの寸法が縮められるとともに、マスク本体２０が顔面形状に沿う湾曲状を呈する。
【００３５】
図７を参照すると、マスク本体２０の下端縁２０ｂは、下方へ僅かに凸曲した形状を有することから、それが幅方向Ｘへ直状に延びる場合に比して、マスク本体２０の両側縁部に位置する耳掛け部３０の基端部３１は、下端縁２０ｂと上下方向Ｙにおいて離間している。そのために、基端部３１近傍が耳掛け部３０の引っ張り応力によって顔面にフィットされる一方、それよりも下方に位置する両側縁部の第２下側部分７２は、マスク１０の外観視において、顔面から離間して斜め前方へ突出したような状態となる。このように、非重畳部分２９Ｂから基端部３１まで延びる第１下側部分７１が顔面に向かってフィットされる一方、基端部３１から下端縁２０ｂまで延びる第２下側部分７２が顔面から離間するように斜め前方へ立体的に突出したような態様となるので、マスク１０の正面視において、マスク本体２０の下側部分７０全体が幅狭となって顔面の一部が露出し、マスク本体２０に顔面全体が被覆されている場合に比して、着用者の顔面が小さいようなすっきりとした印象を与えることができる。
【００３６】
例えば、上向きの力Ｆ２の起点となる耳掛け部３０の基端部３１と剛性変化点である非重畳部分２９Ｂとの離間寸法が比較的に大きな場合には、力Ｆ２が十分に作用せず、顔面の動き等の影響によってマスク本体２０が非重畳部分２９Ｂで屈曲しないで他の部分で屈曲し、マスク本体２０の下側部分７０を変形させることができない。本実施形態に係るマスク１０においては、非重畳部分２９Ｂが下端部２３の基端部３１の近傍に位置しているので、力Ｆ２が非重畳部分２９Ｂに十分に作用して、それを屈曲させることができる。
【００３７】
このように、非重畳部分２９Ｂにおいて力Ｆ２を分散、吸収して屈曲起点とするためには、マスク本体２０の下方側に位置していることが好ましく、具体的には、マスク本体２０の上下方向Ｙの寸法が約６０〜１００ｍｍの場合において、マスク本体２０の横断中心線Ｑから上下方向Ｙにおいて約２．０〜４．０ｍｍ離間していることが好ましい。横断中心線Ｑからの非重畳部分２９Ｂの上下方向Ｙにおける離間寸法Ｒ３が、約２．０〜４．０ｍｍｍｍであることによって、耳掛け部３０の基端部３１から上方へ向かう力Ｆ２が非重畳部分２９Ｂにおいて分散、吸収されて、着用状態において、それを起点として屈曲させることができる。
【００３８】
再び、図３を参照すると、非重畳部分２９Ｂにおいて、口覆い部２４の一部を屈曲させるためには、比較的に剛性が低いことが好ましく、剛性を高めるようなサイドシール域４４の接合部４１が配置されていないことが好ましい。本実施形態においては、非重畳部分２９Ｂにおいて、接合部４１が配置されていない、第１非シール域５１が位置することによって、それが折曲誘導部として作用して、非重畳部分２９Ｂの剛性は所定の比較的に低い剛性を有し、より確実に上向きの力Ｆ２を吸収、分散することができる。かかる効果を奏するためには、第１非シール域５１の上下方向Ｙの寸法Ｌ３が、サイドシール域４４の複数の接合部４１間の離間寸法（ピッチ）Ｒ２よりも大きいことが好ましい。寸法Ｌ３が、離間寸法Ｒ２と同等又はそれよりも小さい場合には、第１非シール域５１ではなく、サイドシール域４４における接合部４１間の離間部分において上向きの力Ｆ２が吸収、分散されて屈曲するおそれがあり、マスク本体２０全体を所定の形状の湾曲させることができないおそれがあるからである。
【００３９】
具体的には、第１非シール域５１は、非重畳部分２９Ｂの上下方向Ｙの寸法よりも大きく、その上下方向Ｙの寸法Ｌ２は、約８〜１２ｍｍであることが好ましい。また、図６を参照すると、第１非シール域５１と非重畳部分２９Ｂの上側に位置する重畳部分２９Ａとが平面視において互いに重なる部分７５の上下方向Ｙの寸法Ｌ５は、約１〜３ｍｍであることが好ましい。第１非シール域５１と非重畳部分２９Ｂに隣接する重畳部分２９Ａとが平面視において重なることによって、第３襞部２８Ｃと非重畳部分２９Ｂとのシートの積層枚数による急激な剛性の変化によって深いギャザーが形成されるのを抑え、非重畳部分２９Ｂ近傍を顔面に沿って湾曲状に屈曲させることができる。
【００４０】
図３を参照すると、接合部４１は、幅方向Ｘの寸法Ｗ２が、好ましくは１ｍｍ以下、少なくとも約２ｍｍ以下、上下方向Ｙの寸法Ｌ４が好ましくは約１．５ｍｍ、少なくとも約２．０ｍｍ以下であって、幅方向Ｘにおけるマスク本体２０の両側縁２０ｃ，２０ｄからの離間寸法Ｒ１が、好ましくは４ｍｍ以下、少なくとも７ｍｍ以下であることが好ましい。接合部４１がかかる幅寸法Ｗ２、上下方向Ｙの寸法Ｌ４を有することによって、サイドシール域４４においてマスク本体２０の側縁部が着用者の肌にフィットされて、顔面との間に隙間が生じるのを抑制することができる。一方、接合部４１の幅寸法が２ｍｍ以上の場合には、サイドシール域４４が比較的に高い剛性を有し、マスク本体２０の側縁部が顔面形状の沿った湾曲状を呈することができなくなるおそれがある。
【００４１】
また、接合部４１の離間寸法Ｒ２が７ｍｍ以上の場合には、着用状態において、マスク本体２０の接合部４１から幅方向Ｘの外側に位置する側縁部分が、顔面から離間する方向へ折れ曲がって、顔面とマスク本体との間に隙間が生じるおそれがある。各襞部２８Ａ〜２８Ｄと重なる接合部４１は、着用状態において襞部２８Ａ〜２８Ｄが展開するときに、それを展開方向と異なる方向へ変形させる作用点となるおそれのある部分であるので、襞部２８Ａ〜２８Ｄの中心側からできるだけ遠くに位置することが好ましく、また、接合部４１の幅寸法Ｗ２が大きいときには、かかる変形の度合いが大きくなるので、できるだけ寸法Ｗ２は小さい方が好ましいといえる。
【００４２】
非重畳部分２９Ｂの下側に位置する襞部２８Ｄには、サイドシール域４４の内側ライン４４Ｂと外側ライン４４Ａとの接合部４１が幅方向Ｘに並ぶ幅広接合部４５が位置している。このように、襞部２８Ｄに幅方向Ｘの広い範囲に接合部４１による高剛性部分を配置することによって、上向きの力Ｆ２を比較的に広い範囲で非重畳部分２９Ｂにおいて分散、吸収することができ、マスク本体２０の両側縁部を屈曲させることができる。また、マスク本体２０は、襞部２８Ｄと耳掛け部３０の基端部３１との間に位置する離間部分において、第２非シール域５２を有し、第１非シール域５１とともに、第１下側部分７１を後方へ屈曲させる起点として作用させることができる。ただし、第２非シール域５２は、上向きの力Ｆ２の基点となる基端部３１に隣接していることから、基端部３１に付与される引張応力の影響を受けることによって、そこを起点として屈曲することはない。
【００４３】
既述のとおり、本実施形態においては、非重畳部分２９Ｂが、基材シート２１をΩ状に折り曲げて形成された襞部２８Ｃ，２８Ｄ間に形成されていることから、重畳部分２９Ａと非重畳部分２９Ｂとの剛性差が比較的に大きくなり、非重畳部分２９Ｂが屈曲起点となりやすくなっている。すなわち、基材シート２１をΩ状に折り曲げることによって、非重畳部分２９Ｂが基材シート２１の単層構造を有するのに対し、その上下方側に位置する重畳部分２９Ａは、基材シート２１が三つ折りされて形成された３層構造を有するものであって、例えば、後者が２層構造の場合に比して、より剛性差が生じ、非重畳部分２９Ｂが屈曲起点となりやすいといえる。
【００４４】
このように、基材シート２１をΩ状に折り曲げて非重畳部分２９Ｂと重畳部分２９Ａとのシート枚数を相違させることのほかに、各種公知の折曲方法を採用してもよいし、重畳部分２９Ａと非重畳部分２９Ｂとの枚数が同等であってもシートの総質量を相違させること等によって、非重畳部分２９Ｂを屈曲起点として作用するようにしてもよい。よって、例えば、マスク本体２０の非肌対向面側において、襞部２８Ａ〜２８Ｄをすべて下方へ凸となるように基材シート２１を折曲した場合であっても、襞部２８Ｃと襞部２８Ｄとの上下方向Ｙにおける離間寸法を約４ｍｍとすることによって、屈曲起点となる非重畳部分２９Ｂを形成することもできる。また、非重畳部分２９Ｂにおいて、上向きの力Ｆ２を確実に吸収、分散するために、非シール域５１の存在域に、切欠部を設けてもよい。かかる場合であっても、切欠部において上向きの力Ｆ２が分断されて、マスク本体２０の変形を抑制することができる。
【００４５】
再び、図５を参照すると、マスク本体２０の下側部分の肌対向面と着用者の顔面とが当接する部分Ｐ１から下端縁２０ｂに向かって垂下した垂線Ｋ１と、当接する部分Ｐ１とマスク本体２０の最下に位置する最下点Ｐ２とをつなぐ仮想線Ｋ２とによる交角αは、約１０〜２０度であることが好ましい。交角αが２０度以上の場合には、マスク本体２０が比較的に小さなサイズ（例えば、幅寸法が１５０ｍｍ以下）の場合には、立体的に屈曲した下側部分７０が目立ち、マスク１０の外観視において、着用者の顔面が実際よりも縦長な印象を与えるおそれがあるからである。
【００４６】
図８は、他の実施例における図６と同様の図である。図８を参照すると、本実施例においては、着用状態において、図６の折曲態様と異なり、下方へ凸となるようにマスク本体２０の肌対向面側へ向かって折れ曲がり、伸展可能なプリーツを形成している。このような折曲態様によっても、マスク本体２０の上下方向Ｙの寸法Ｗ１が縮められて、マスク本体２０が顔面に沿うようにフィットされる。
【００４７】
＜第２実施形態＞
図９は、第２実施形態に係るマスク１０の図１と同様の正面図である。本実施形態のマスク１０の基本的構造は、第１実施形態のマスクの１０のそれと同様であるので、相違する点についてのみ以下に説明する。
【００４８】
本実施形態に係るマスク１０では、第１実施形態に係るマスク１０と異なり、口覆い部２４に複数の襞部は形成されておらず、マスク本体２０全体が内外層シシート２５，２６から形成された凹凸形状のない平面的な外形を有している。マスク本体２０の両側縁部において、横断中心線Ｑよりも下方には、両側縁２０ｃ，２０ｄから幅方向Ｘの内側へ向かって次第に幅狭となる略Ｖ字状の切欠部（折曲誘導部）９０が位置している。横断中心線Ｑよりも下方に切欠部９０が位置することによって、着用したときに、それが横断中心線Ｑ上又はその近傍に位置する場合に比して、マスク本体２０から上方へ向かう力Ｆ２を確実に吸収、分散することができ、マスク本体２０の変形を抑制することができる。横断中心線から切欠部９０までの上下方向Ｙにおける離間寸法Ｒ３は、約２．０〜４．０ｍｍである。切欠部９０は、略Ｖ字状のほかに、単数又は複数の直状、曲状等の各種公知の形状であってもよい。また、第１実施形態と同様に、口覆い部２４に複数の襞部２８が形成されていてもよく、その場合には、非重畳部分２９Ｂに切欠部９０が位置することによって折曲誘導部としてより機能しうる。
【００４９】
また、耳掛け部３０の基端部３１は、シール域３４を介してマスク本体３０の肌対向面側に固定されている。このように、耳掛け部３０の基端部３１がマスク本体３０の肌対向面側に固定されていることによって、基端部３１がマスク本体３０の非肌対向面側に固定されている場合に比して、耳掛け部３０の可動範囲が拡げることができる。したがって、例えば、個包装するときに、隅部２７を折り曲げることなく、耳掛け部３０をマスク本体２０の肌対向面側に積層した状態で収容することができる。
【００５０】
マスク１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００５１】
１０  使い捨てマスク
２０  マスク本体
２０ａ  マスク本体の上端縁
２０ｂ  マスク本体の下端縁
２０ｃ，２０ｄ  マスク本体の側縁
２２  上端部
２３  下端部
２４  口覆い部
２７  隅部
２８Ａ〜２８Ｄ  襞部
２９Ａ  重畳部分
２９Ｂ非重畳部分
３０  耳掛け部
３１  耳掛け部の基端部（固定端部）
４０  外周シール域
４１  接合部
４２  サイドシール域（シール域）
４５  幅広接合部
５１  第１非シール域（折曲誘導部）
５２  第２非シール域
９０  切欠部（折曲誘導部）
Ｌ１  マスク本体の上下方向の寸法
Ｌ４  接合部の上下方向の寸法
Ｑ  横断中心線
Ｒ１  接合部とマスク本体の両側縁と幅方向における離間寸法
Ｒ３  非シール域と横断中心線との上下方向における離間寸法
Ｘ  幅方向
Ｙ  上下方向
【要約】
【課題】マスク本体の変形を抑制し、顔面形状に沿った湾曲状を呈することができ、すっきりとした印象を与えることのできる使い捨てマスクの提供。
【解決手段】マスク本体２０は、不織布製のシート２１から形成されており、一対の耳掛け部３０の基端部３１が位置する上下端部２２，２３と、上下端部２２，２３間に位置する口覆い部２４と、両側縁２０ｃ，２０ｄに沿って上下方向Ｙへ断続的に延びる、複数の接合部４１が配置されたシール域４４とを有する。口覆い部２４は、シート２１が折り重ねられた重畳部分２９Ａからなる襞部２８と、上下方向Ｙにおいて襞部２８間に位置する非重畳部分２９Ｂとを有し、非重畳部分２９Ｂは、横断中心線Ｑよりも下方に位置する非シール域５１を有し、非重畳部分２９Ｂの下側に位置する襞部２８Ｄには、複数の接合部４１が幅方向Ｘへ並んでなる幅広接合部４５が位置する。
【選択図】図１【図１】
0005837252.tif 000002
【図２】
0005837252.tif 000003
【図３】
0005837252.tif 000004
【図４】
0005837252.tif 000005
【図５】
0005837252.tif 000006
【図６】
0005837252.tif 000007
【図７】
0005837252.tif 000008
【図８】
0005837252.tif 000009
【図９】
0005837252.tif 000010